(57)【特許請求の範囲】
【請求項１】
筐体と、
前記筐体の異なる面に配置された複数の表示部と、
前記複数の表示部に重ねられたタッチパネルと、
前記表示部に実行中のタスクの動作画面を表示させ、かつ前記タッチパネルからの入力を受け付ける制御部と、を備え、
前記複数の表示部は、端辺が湾曲して連接または連続するように配置され、
前記制御部は、
操作しなくなってから所定時間後に休止状態とさせ、
前記タッチパネルの特定の領域への接触操作によって前記複数の表示部へ表示をさせ、
前記休止状態から復帰させる際に接触操作があった前記タッチパネルへの入力を受付させ、当該接触操作がなかった前記タッチパネルへの入力を受け付けないように制御する、電子機器。
【請求項２】
筐体と、
前記筐体の異なる面に配置された複数の表示部と、
前記複数の表示部に重ねられたタッチパネルと、
前記複数の表示部が配置された面のそれぞれに配置された照度センサと、
前記表示部に実行中のタスクの動作画面を表示させ、かつ前記タッチパネルからの入力を受け付ける制御部と、を備え、
前記複数の表示部は、端辺が湾曲して連接または連続するように配置され、
前記制御部は、明るい面に配置された前記表示部と重なっている前記タッチパネルからの入力を受け付け、他の表示部に表示がされていても当該他の表示部に重なっている前記タッチパネルからの入力を受け付けないように制御する、電子機器。
【請求項３】
筐体と、
前記筐体の異なる面に配置された複数の表示部と、
前記複数の表示部に重ねられたタッチパネルと、
前記筐体の姿勢を検知する姿勢差センサを備え、
前記表示部に実行中のタスクの動作画面を表示させ、かつ前記タッチパネルからの入力を受け付ける制御部と、を備え、
前記複数の表示部は、端辺が湾曲して連接または連続するように配置され、
前記制御部は、上方に位置する面に配置された表示部と重なっている前記タッチパネルからの入力を受け付け、他の表示部に表示がされていても当該他の表示部と重なっている前記タッチパネルからの入力を受け付けないように制御する、電子機器。
【発明の詳細な説明】
【技術分野】
【０００１】
本発明は、電子機器に関する。
【背景技術】
【０００２】
近年、携帯電話やＰＨＳ（Personal Handy phone System）、ＰＤＡ（Personal Digital Assistant）などに代表される電子機器は、小型化と軽量化に加えて高機能化が進んでいる。その結果、通話やメールといった通信関連の機能のみでなく、カメラ、音楽再生、テレビジョンなど、コンピュータに近しいほどの機能が取り込まれてきている。
【０００３】
このように高機能化するに伴って、様々なタスク（アプリケーション）を快適に使用するために、表示領域の大画面化の要請がある。しかし、大画面化と小型化という相反する要請から、大画面化すれば操作部のための面積が減少し、同じ操作キーにいくつもの機能を兼用させたり、メニューの階層が深くなったりしており、使用者にとって操作性が不明瞭化または煩雑化する傾向にある。
【０００４】
このような問題に対応すべく、特許文献１（特開２００７−０７９１５７）では２つの画面（液晶ディスプレイ）を開閉可能に装備し、開くことによって２画面を連接および連動させることにより、表示面積の大型化と装置サイズの小型化を両立させた画像表示装置が提案されている。一方、特許文献２（特開２００７−１４１０２９）には、画面（情報表示画面）と同じ面に第１のタッチセンサーを有し、反対側の面に第２のタッチセンサーを有することにより、第２のタッチセンサーを指紋認証などのための補助入力手段として用いる提案がなされている。
【先行技術文献】
【特許文献】
【０００５】
【特許文献１】特開２００７−０７９１５７号公報
【特許文献２】特開２００７−１４１０２９号公報
【発明の概要】
【発明が解決しようとする課題】
【０００６】
しかし上記特許文献１の構成にあっては、タスク動作画面を（収納時の）装置サイズに比して大きくすることはできるものの、単に表示面積を増やしたに過ぎない。また特許文献２の構成にあっては、従来利用されていなかった裏面に入力手段を配置してはいるものの、裏面の入力手段を表面の入力手段の補助として用いて操作性の向上を図ったに過ぎない。すなわち、高機能化に伴う多機能化に対して十分な操作性を向上しうるものではない。
【０００７】
そこで本発明は、操作性を向上させることが可能な電子機器を提供することを目的としている。
【課題を解決するための手段】
【０００８】
上記課題を解決するために、本発明にかかる電子機器の代表的な構成は、筐体の１つの面に配置された第１表示部と、第１表示部と反対側の面に配置された第２表示部と、第１表示部または第２表示部の少なくとも一方に重畳されるタッチパネルと、タスクを実行して第１表示部または第２表示部に画像を表示し、かつタッチパネルからの入力を受け付ける制御部とを備え、第１表示部と第２表示部とは、端辺が湾曲して連接または連続するように配置されていることを特徴とする。
【０００９】
制御部は、操作しなくなってから所定時間後に休止状態となり、筐体の両面に重畳されたタッチパネルのそれぞれの特定の領域に所定時間以上触れることによって休止状態から復帰し、かつ、復帰する際に触れられていた特定の領域と同じ面に配置された表示部を第１表示部として動作させてもよい。
【００１０】
第１表示部または第２表示部を配置した面にそれぞれ照度センサを備え、制御部は、明るい面に配置された表示部を第１表示部とし、暗い面に配置された表示部を第２表示部としてもよい。
【００１１】
筐体の姿勢を検知する姿勢差センサを備え、制御部は、上方に位置する面に配置された表示部を第１表示部、下方に位置する面に配置された表示部を第２表示部としてもよい。
【００１２】
制御部は、２つの表示部のうち一方の表示部を第１表示部とした場合に、第２表示部に重畳されたタッチパネルからの入力を受け付けないこととしてもよい。
【発明の効果】
【００１３】
本発明によれば、電子機器の操作性を向上させることができる。
【図面の簡単な説明】
【００１４】
【図１】携帯電話の外観を説明する６面図である。
【図２】携帯電話の概略的な機能を示すブロック図である。
【図３】第１表示部および第２表示部の画面例を示す図である。
【図４】第１表示部のタスク動作画面と第２表示部のリスト画面との関係を示す図である。
【図５】タッチパネルを用いてタスク切替の入力を行う例を示す図である。
【図６】第１表示部に複数のタスクの動作画面を表示する例である。
【図７】タッチパネルを用いて休止状態からの復帰判定を行う例を示す図である。
【図８】筐体の表裏面の区別をなくした携帯電話の構成例を示す図である。
【発明を実施するための形態】
【００１５】
［第１実施形態］
本発明にかかる電子機器の第１実施形態である携帯電話について説明する。本実施形態及び図面において、実質的に同一の機能構成を有する構成要素については、同一の符号を付することにより重複説明を省略する。なお、以下の実施例に示す寸法、材料、その他具体的な数値などは、発明の理解を容易とするための例示に過ぎず、特に断る場合を除き、本発明を限定するものではない。
【００１６】
［外観構成］
図１は携帯電話の外観を説明する６面図である。図１に示す携帯電話１０は、筐体の１つの面に配置された第１表示部２０と、第１表示部２０と反対側の面に配置され、第１表示部２０と略同じ表示面積を備えた第２表示部２２とを備えている。本実施形態において第１表示部２０が装置表面側であり、第２表示部２２が裏面側である。第１表示部２０には、透明なタッチパネル３０が重畳されている。第２表示部２２の中央には、カメラ４０を備えている。
【００１７】
第１表示部２０と第２表示部２２とは長辺において湾曲し、それぞれが連接することによって筐体の外周を巻回するように配置されている。そして筐体の外形（表面においてはタッチパネル３０が外形を構成している）は、第１表示部２０および第２表示部２２が湾曲する方向を含む断面の形状が略楕円形となっている。すなわち第１表示部２０と第２表示部２２とによって全体的に平たい筒のような形状となっている。この筒の両端には、端部部材１４、１６が備えられている。
【００１８】
なお、略楕円形とは正確な楕円（円も含む）のほか、正確な楕円以外の形状も含む。例えば、端部が全体的に丸みを帯びた形状である、主表面が平坦であって端部が半円を描く長丸形状、さらに長丸形状の主表面の中央部が膨出した形状、楕円形を短軸又は長軸方向につぶした形状も本発明の略楕円形に含まれる。
【００１９】
筐体の１つの側面である端部部材１４の端面には、音声出力部４２および電源ボタン４６が備えられている。音声出力部４２と反対側の面である端部部材１６の端面には、音声入力部４４が備えられている。このように、音声出力部４２および音声入力部４４を端部部材１４、１６の端面（筐体の側面）に配置することにより、通話する際には筐体の表裏に関係なく把持することができる。
【００２０】
また、第１表示部２０と端部部材１４及び端部部材１６とのそれぞれの間の部分であって、筐体の短手方向の略中央部分には、筐体内部に設けられたステレオスピーカ４８（図２参照）から発せられた音を、筐体内部から筐体外部に出力するための放音口４８ａ、４８ｂがそれぞれ形成されている。
【００２１】
同様に、第２表示部２２と端部部材１４及び端部部材１６とのそれぞれの間の部分であって、筐体の短手方向の略中央部分には、筐体内部に設けられたステレオスピーカ４８から発せられた音を、筐体内部から筐体外部に出力するための放音口４８ｃ、４８ｄがそれぞれ形成されている。
【００２２】
本実施形態では、放音口４８ａから音を発するステレオスピーカ４８は、放音口４８ｃから音を発するステレオスピーカとしても機能する。同様に、放音口４８ｂから音を発するステレオスピーカ４８は、放音口４８ｄから音を発するステレオスピーカとしても機能する。
【００２３】
なお本実施形態では、放音口４８ａ、４８ｃ側に配置されたステレオスピーカ４８と、放音口４８ｂ、４８ｄ側に配置されたステレオスピーカ４８との２つのステレオスピーカが設けられている。
【００２４】
さらに、本実施形態のステレオスピーカ４８は、第１表示部２０側及び第２表示部２２側の双方側に音を均等に発するために、筐体の長手方向外側に向かって発音方向が向けられている。さらには、ステレオスピーカ４８から発せられた音を、それぞれの放音口４８ａ、４８ｃ又は放音口４８ｂ、４８ｄに導く導音路を設け、第１表示部２０側及び第２表示部２２側の双方に音を均等に発するとしてもよい。
【００２５】
［機能構成］
図２は携帯電話の概略的な機能を示すブロック図である。図２に示すように、上記した第１表示部２０、第２表示部２２、タッチパネル３０、音声出力部４２、音声入力部４４、ステレオスピーカ４８に加えて、制御部１００、無線通信部１０２、メモリ１０４を少なくとも備えている。
【００２６】
制御部１００は、中央処理装置（ＣＰＵ）を含む半導体集積回路により携帯電話１０全体を管理及び制御する。制御部１００は、メモリ１０４に格納されたタスク（アプリケーション）を実行して第１表示部２０または第２表示部２２に画像を表示し、かつタッチパネル３０からの入力を受け付ける。これにより制御部１００は、メモリ１０４のプログラムを用いて、携帯電話１０を利用した通話機能、文字入力機能、音楽再生機能、ＴＶ視聴機能などの様々なタスクを遂行する。
【００２７】
メモリ１０４は、ＲＯＭ、ＲＡＭ、ＥＥＰＲＯＭ、不揮発性ＲＡＭ、フラッシュ記憶部、ＨＤＤ等で構成され、制御部１００で処理されるプログラムやその他のデータファイル等を記憶する。
【００２８】
第１表示部２０および第２表示部２２は湾曲したディスプレイもしくは曲げることの可能なディスプレイであればよく、例えば樹脂基板上にトランジスタを形成したＴＦＴ液晶ディスプレイ（Thin Film Transistor Liquid Crystal Display）、有機ＥＬディスプレイ(organic Electro Luminescence Display)、コレステリック液晶ディスプレイ（Cholesteric Liquid Crystal Display）等で構成することができる。本実施形態では、第１表示部２０および第２表示部２２は、例えばＴＦＴ液晶ディスプレイを用いる。第１表示部２０および第２表示部２２には、携帯電話１０内のメモリ１０４に記憶された、または通信網を介してアプリケーション中継サーバ（図示せず）から提供される、Ｗｅｂブラウザやスケジュール管理などのタスクの動作画面を表示することができる。また、後述するタッチパネル３０との組合せにより入力インターフェースを構成することも可能である。かかる入力インターフェースは、キーボード、十字キー、ジョイスティックといった従来の操作キーに対応した機能を奏する。
【００２９】
タッチパネル３０は、透明または半透明の素材で形成され、第１表示部２０を視認可能に重畳される。具体的にタッチパネル３０としては、表示部表面に取り付ける所謂タッチスクリーンと、表示部裏面に取り付けられ、圧力を検知する圧力検知型がある。また、接触の感知方法としては圧力の変化を感知する感圧式と静電気による電気信号を感知する静電容量の２通りがある。
【００３０】
音声出力部４２はスピーカで構成され、携帯電話１０で受信した通話相手の音声信号を音声に変えて出力する。またステレオスピーカ４８は、着信音や、後述する第１表示部２０とタッチパネル３０とによる入力インターフェースの操作音、ＴＶ音声、音楽、アラーム音等を出力する。
【００３１】
音声入力部４４はマイク等の音声認識装置で構成され、通話時に入力されたユーザの音声を携帯電話１０内で処理可能な電気信号に変換する。
【００３２】
無線通信部１０２は、携帯電話網における基地局２００と無線通信を行う。かかる無線通信としては、基地局２００内でフレームを時分割した複数のタイムスロットをそれぞれ携帯電話１０のチャネルに割り当てて通信を行う時分割多重方式等がある。
【００３３】
［動作説明］
図３は第１表示部２０および第２表示部２２の画面例を示す図である。図３（ａ）に示すように、携帯電話１０の表面側の第１表示部２０には、実行中のタスクの動作画面が表示されている。また図３（ｂ）に示すように、携帯電話１０の裏面側の第２表示部２２には、他のタスクについてのリスト画面が表示されている。これらのタスク動作画面およびリスト画面は、制御部１００の制御によって表示されている。
【００３４】
図４は第１表示部２０のタスク動作画面と第２表示部２２のリスト画面との関係を示す図である。第１表示部２０のタスク動作画面と第２表示部２２のリスト画面とは連動しており、第１表示部２０に実行中のタスクについての動作画面を表示し、第２表示部２２に他のタスクについてのリスト画面を表示している。そして実行中のアプリを切り替える（タスク動作画面を切り替える）ことにより、これに応じて第２表示部２２のリスト画面もスクロールする。
【００３５】
例えば図４に示すように、リスト画面にはＰＨＯＮＥ、Ｍａｉｌ、Ｍｕｓｉｃ、Ｎａｖｉ（ＧＰＳ）、Ｃａｍｅｒａ、Ｗｅｂの順にタスクが列記されていたとする。そして使用者がタスク切替の操作を行うと、上記の順でタスクが切り替わる。
【００３６】
すなわち制御部１００は、第１表示部２０に表示されるタスクをスクロール方向４０１にスクロールさせつつ、第２表示部２２のリスト画面に列記されていた他のタスクのうちスクロール方向４０２の端に位置していたタスクに切り替える。そして第１表示部２０に表示したタスクを第２表示部２２のリスト画面からスクロール方向４０２にスクロールさせつつ削除すると共に、第１表示部２０に表示されていたタスクをスクロール方向４０１にスクロールさせつつ、第２表示部２２のリスト画面のスクロール方向４０２の逆の端に追加する。タスクの切り替えに伴う動作画面の切り替えは、連続的に滑らかにスクロール表示させる。
【００３７】
これにより、裏面の第２表示部２２のリスト画面を回転させて表面に持ってくると、第１表示部２０で全画面に展開されるように動作する。したがって、あたかも筒を回転させているかのように、多数のタスクを次々に切り替えることが可能となる。
【００３８】
第１表示部２０に新たに表示されたタスク動作画面は、タスクが未だ起動していない場合には、タスクを起動させるためのアイコン（仮想ボタン）を表示し、これがタップされることによってタスクを起動する。既にタスクが起動していた場合には、現在の状態のタスク動作画面を表示する（不図示）。
【００３９】
また図３（ｂ）のリスト画面におけるＭｕｓｉｃの欄に示したように、動作中のタスクがタスクリストにまわりこんだ場合には、実行中のタスクについてその概略を表示させることでもよい。これにより、現在アクティブでないタスクの動作状況も容易に把握することができる。
【００４０】
図５はタッチパネルを用いてタスク切替の入力を行う例を示す図である。タッチパネル３０には特定の領域が設定されており、この特定の領域を摺擦することによって制御部１００がタスク切替を行う。このとき摺擦方向をスクロール方向とすることにより、直感的な操作が可能となる。
【００４１】
また本実施形態では図５（ａ）に示すように、タッチパネル３０の両端近傍に２箇所のタスク切替用領域３０ａ、３０ｂを設定しており、図５（ｂ）に示すように両手の親指で摺擦することを想定している。このように離隔した２箇所の領域を摺擦するよう設定することで、誤動作を防止することができる。
【００４２】
図６は第１表示部２０に複数のタスクの動作画面を表示する例である。制御部１００が複数のタスクを同時に実行可能であるとき（いわゆるマルチタスク）、例えば図６（ａ）に示すようにナビゲーション中（Ｎａｖｉ画面を表示している）にメールを着信した場合には、メール受信画面を表示する。このとき図６（ｂ）に示すように、スクロール方向において、主に動作しているタスク（Ｎａｖｉ画面）を第１表示部２０の中央に大きく表示し、他のタスク（メール受信画面）は簡易動作画面を用いてスクロール方向の前端または後端に表示している。そして使用者がメール受信画面をタップすると、図６（ｃ）に示すように簡易動作画面を展開して通常の大きさのメール受信画面を表示する。このときＮａｖｉ画面は簡易動作画面を用いてスクロール方向の後端に細く表示する。
【００４３】
このように複数のタスク動作画面を第１表示部２０に表示することにより、複数のタスクを同時に閲覧し、タスクリストを該当するタスクまで回転させるまでもなく簡略に切り替えて操作することができる。
【００４４】
図７はタッチパネルを用いて休止状態からの復帰判定を行う例を示す図であって、図７（ａ）は復帰判定領域の例を示す図、図７（ｂ）は休止状態と復帰のフローチャートを示す図である。
【００４５】
制御部１００は、電力の消耗を抑えて稼動時間を延長するために、所定時間以上の操作がなかった場合には休止状態とし、通信機能など一部の主要機能を除いてタスク動作を停止する。そして携帯電話１０の操作が開始されると、休止動作から復帰する。しかし、携帯電話１０はタッチパネル３０を用いて各種操作を行うが、タッチパネル３０は接触を検知するデバイスであるから、単にタッチパネル３０でタップを検知したことによって復帰を実行すると、かばんやポケットに入れていた場合にはほとんど休止状態に入れなくなり、電力消耗が早くなってしまう。
【００４６】
そこで本実施形態では、休止状態からの復帰を判定するための特定の領域を設定している。具体的には、例えば図７（ａ）に示すように、タッチパネル３０の右下に復帰判定領域３０ｃを設定する。そして復帰は、この復帰判定領域３０ｃのみに所定時間以上触れられているか否かによって判定する。
【００４７】
休止状態と復帰の具体例について、図７（ｂ）のフローチャートに沿って説明する。最初に休止状態にあると仮定したとき、復帰判定領域３０ｃのみが所定時間以上触れられているか否かについて判断する（Ｓ１００）。条件を満たさなければ判断を継続し、条件を満たした場合には復帰する（Ｓ１０２）。このとき第１表示部２０には待ち受け画面を表示し、第２表示部２２にはタスクリストを表示する。
【００４８】
待受画面においてタスク切替操作があったか、または切り替えたタスクにおいて操作が行われたか否かを判断する（Ｓ１０４）。何らかの操作が行われていた場合にはタスク切替処理（スクロール）またはタスク処理を行い(Ｓ１０６）、処理が完了すると操作を待つ（Ｓ１０８）。復帰後に何らかの操作が行われなかった場合（Ｓ１０４）、または操作待ちの状態（Ｓ１０８）で所定時間操作がなかったか否かを判定し（Ｓ１１０）、操作があった場合には処理を行い（Ｓ１０６）、操作がなければ休止状態となる（Ｓ１１２）。休止状態となった後は、ふたたび復帰判定領域３０ｃのみが所定時間以上触れられているか否かについて判断する（Ｓ１００）。
【００４９】
上記のように構成することにより、タッチパネル３０のみを有する携帯電話１０においても、高い精度で誤動作を防止することができる。なお、休止状態においては、復帰判定
領域３０ｃの範囲を示す静止画または動画を表示するようにしてもよい。
【００５０】
上記説明した如く、本実施形態にかかる携帯電話１０は、筐体の両面に略同じ表示面積を備えた第１表示部２０および第２表示部２２を備えたことにより、表示部の情報量を飛躍的に増大することができる。また２つの表示部を用いてタスク動作画面とタスクリストを表示させ、これらを対応させてスクロールさせながらタスクを切り替えることにより、多種類のタスク動作画面を直感的に切り替えることが可能となる。これにより近年益々多機能化する携帯電話においても、操作性を向上させることができる。
【００５１】
なお、上記実施形態においては、第２表示部２２のリスト画面には第１表示部２０に表示しているタスクとは別のタスクをリスト表示するように説明した。しかし本発明はこれに限定するものではなく、リスト画面に第１表示部２０に表示したアクティブなタスクをも表示してもよい。このとき該当するリスト項目を目立つように表示することにより、現在実行中のタスクを明確に認識することができる。
【００５２】
また上記実施形態においては端部部材１４の端面に電源ボタン４６を設けるよう説明したが、端部部材１４、１６そのものをスイッチ機構を有する電源ボタンとすることでもよい。電源ボタンを大きくすることにより操作性を向上し、また外観上目立たないために美感を向上させ、またコネクタなどを配置するための面積を確保することが可能となる。
【００５３】
さらに端部部材１４、１６の端面には、文字入力のためのキーを設けてもよい。例えば子音はタッチパネル３０上に仮想キーを表示し、端部部材１４に母音選択キーを設け、端部部材１６に決定キーを設けることにより、個々の仮想キーの面積を大きく取ることができ、高速な入力が可能となる。
【００５４】
［他の実施形態］
本発明にかかる携帯電話の他の実施形態について説明する。上記第１実施形態と説明の重複する部分については同一の符号を付して説明を省略する。
【００５５】
上記第１実施形態においては、筐体の裏面（第２表示部２２を備えた面）に、カメラ４０を有するように説明した。しかし筐体の表裏面はほぼ前面が第１表示部２０または第２表示部２２で覆われているため、カメラ４０を設ければ表示部の面積を削減することになってしまい、表裏面の表示能力が完全に同等とはならない。また、上記第１実施形態では第１表示部２０にのみタッチパネル３０を重畳するように説明した。これらのことから携帯電話１０は筐体の表面と裏面とが始めから決定された構成となっていた。
【００５６】
そこで図８に示す携帯電話５０は、筐体の表裏面の区別をなくした構成である。図８（ａ）は携帯電話５０の外観を示す図であって、携帯電話１０に比してカメラ４０を備えていない。図８（ｂ）は携帯電話５０の概略的な機能を示すブロック図であって、第１表示部２０に重畳したタッチパネル３０のみでなく、第２表示部２２に重畳した第２タッチパネル３２を備えている。さらに携帯電話５０においては、姿勢差センサ１０６（３軸加速度センサ）を備えている。
【００５７】
ここで、携帯電話５０においては筐体の表裏において第１表示部２０と第２表示部２２の機能的な差がなくなることから、いずれの面の表示部を第１表示部２０または第２表示部２２として動作させるかは動的に決定することができる。
【００５８】
そこで例えば、制御部１００は、休止状態から復帰するための復帰判定領域３０ｃ（図７（ａ）参照）を筐体の両面に設定し、所定時間以上触られた復帰判定領域３０ｃを有する面の表示部を第１表示部２０と設定することができる。これにより、装置の表裏をなくすることが可能となり、使用者が手に取って正対した面が常に表面とすることができる。このため、使用者が表裏を持ち替える必要がなくなり、操作性を向上させることが可能となる。
【００５９】
また、筐体の内部に備えた姿勢差センサ１０６によって重力方向を検知することにより、制御部１００は上方に位置する面に配置された表示部を第１表示部２０、下方に位置する面に配置された表示部を第２表示部２２とすることもできる。この場合も、休止状態から復帰する際に判断することが好ましい。
【００６０】
さらには、携帯電話５０のようにカメラ４０を排するのではなく、携帯電話１０の両面に同様のカメラ４０を設けることでもよい。そして筐体両面のカメラを照度センサとして利用し、制御部１００は明るい面に配置された表示部を第１表示部２０とし、暗い面に配置された表示部を第２表示部２２とすることができる。
【００６１】
なお制御部１００は、２つの表示部のうち一方の表示部を第１表示部２０とした場合に、第２表示部２２に重畳された第２タッチパネル３２からの入力を受け付けないこととしてもよい。タスク操作中は背面に手を当てて支持することが想定されるため、誤動作を防止するためである。そして再び休止状態となったとき、筐体両面のタッチパネル３０および第２タッチパネル３２を有効とすることにより、次回に休止状態から復帰したときに、自在に表裏面を選択することが可能となる。
【００６２】
なお、姿勢差センサ１０６によって携帯電話５０を振ったことを検知することにより、メインタスクの操作入力にも利用することができる。具体的には、例えば筐体を振ることによって電子小説や電子コミックページめくりを行うことができる。特に、携帯電話５０を次々と回転させることによって表裏の表示部に順次先のページを表示するように制御することにより、あたかも巻物をめくっているかのようにページを進めることができ、新しい操作性を提案することができる。
【００６３】
上記のように全方位表示が可能な表示部と、全面に配置されたタッチパネルを備えることにより、従来存しない様々なアプリケーション（タスク）を提供することができる。例えば金魚が遊泳する仮想水槽を表示し、つつくと金魚が裏面側に逃げるようなアプリケーションが挙げられる。また表面と裏面とが一度には視認できないことを利用し、ポーカーゲームや対戦ゲームなどを実行することができる。また例えば、表面で操作しながら裏面の表示部が相手方に向いていることを利用して、第２表示部２２にＱＲコードを表示させ、相手の装置に読み取らせることができる。
【００６４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６５】
例えば、上記実施形態においては第１表示部２０および第２表示部２２の端辺を湾曲させて互いに連接または連続するものとして例示したが、平板状の第１表示部２０および第２表示部２２を用いてもよい。この場合においてタスク動作画面とリスト画面の視覚的な連続性は減衰するが、その点を除いて多機能化に対する操作性の向上その他の本発明の効果は損なうことなく得ることができる。
【００６６】
また上記実施形態ではＰＨＯＮＥ、Ｍａｉｌ、Ｍｕｓｉｃ、Ｎａｖｉ（ＧＰＳ）、Ｃａｍｅｒａ、Ｗｅｂなどの機能を有すると説明したが（図４参照）、これらの一部のみを有していてもよく、さらに例示以外の機能（例えばスケジュール機能など）を有していても
よい。
【００６７】
また上記実施形態では本発明にかかる電子機器として携帯電話を例に用いて説明したが、携帯電話の他にＰＤＡ、コンピュータ、デジタルカメラ、音楽プレイヤー、カーナビゲーション、テレビジョン、ゲーム機、ＤＶＤプレイヤー、およびリモートコントローラなども含まれる。
【００６８】
本実施形態の筐体の外形は、第１表示部および第２表示部が湾曲する方向を含む断面の形状が略楕円形であってもよい。
【００６９】
本実施形態の制御部は、第１表示部に実行中のタスクについての画面を表示し、第２表示部に他のタスクについてのリスト画面を表示してもよい。
【００７０】
本実施形態の制御部は、第１表示部に実行中のタスクについての画面を表示し、第２表示部に実行中のタスクを含む複数のタスクについてのリスト画面を表示してもよい。
【００７１】
本実施形態の制御部は、タッチパネルの特定の領域が摺擦されたことを検知して、第１表示部に表示されるタスクを第２表示部のリスト画面に列記されていた他のタスクのうち摺擦方向と逆の端に位置していたタスクに切り替え、第１表示部に表示したタスクを第２表示部のリスト画面から削除すると共に、第１表示部に表示されていたタスクを第２表示部のリスト画面の摺擦方向の端に追加してもよい。
【００７２】
本実施形態の制御部は、タスクの切り替えに伴う動作画面の切り替えを連続的にスクロール表示してもよい。
【００７３】
本実施形態の制御部は、複数のタスクを同時に実行可能であって、第１表示部に実行している複数のタスクの動作画面を表示し、かつ、摺擦方向において主に動作しているタスクの動作画面を中央に表示し、他のタスクの簡易動作画面を摺擦方向の前端または後端に表示してもよい。
【００７４】
本実施形態では、筐体の１つの側面に配置された音声入力部と、音声入力部を備えた面と反対側の面に音声出力部とを備えていてもよい。
【産業上の利用可能性】
【００７５】
本発明は、表示部を用いてタスク動作画面を表示する電子機器に利用することができる。
【符号の説明】
【００７６】
１０、５０・・・携帯電話、１４・・・端部部材、１６・・・端部部材、２０・・・第１表示部、２２・・・第２表示部、３０・・・タッチパネル、３０ａ、３０ｂ・・・タスク切替用領域、３０ｃ・・・復帰判定領域、３２・・・第２タッチパネル、４０・・・カメラ、４２・・・音声出力部、４４・・・音声入力部、４６・・・電源ボタン、４８・・・ステレオスピーカ、４８ａ、４８ｂ、４８ｃ、４８ｄ・・・放音口、１００・・・制御部、１０２・・・無線通信部、１０４・・・メモリ、１０６・・・姿勢差センサ、２００・・・基地局
【図１】
0005542975.tif 000002
【図２】
0005542975.tif 000003
【図３】
0005542975.tif 000004
【図４】
0005542975.tif 000005
【図５】
0005542975.tif 000006
【図６】
0005542975.tif 000007
【図７】
0005542975.tif 000008
【図８】
0005542975.tif 000009